(57)【要約】      （修正有）【課題】通信基板が発するノイズの影響を受け難い電気機器を提供する。【解決手段】直流電力を交流電力に変換する電気機器１において、電気機器１の筐体内にノイズフィルタを実装するメイン基板２０と、変換の制御を行う制御回路基板１４と、メイン基板２０と相対向して配置される金属製の板状の部材１６と、通信モジュール７０内の外部装置と通信するための通信基板と、を備え、メイン基板２０、制御回路基板１４、板状の部材１６、及び通信基板の接地電位を筺体の電位にすると共に、メイン基板２０の投影空間を通らないメイン基板２０の周端の外側の空間に直流電力が流れるパワーラインを引き回したのちパワーラインをノイズフィルタの入力側に接続し、通信基板を、周端の外側の空間内でありかつパワーラインの上方の板状の部材１６の位置以上の高さの位置に配置する。【選択図】図２
2014090604.tif 000002
【特許請求の範囲】
【請求項１】
直流電力を交流電力に変換する電気機器において、
前記電気機器の筐体内に
ノイズフィルタを実装するメイン基板と、
前記変換の制御を行う制御回路基板と、
前記メイン基板と相対向して配置される金属製の板状の部材と、
外部装置と通信するための通信基板と、を備え、
前記メイン基板、前記制御回路基板、前記板状の部材、及び前記通信基板の接地電位を
前記筺体の電位にすると共に、前記メイン基板の投影空間を通らない前記メイン基板の周
端の外側の空間に前記直流電力が流れるパワーラインを引き回したのち当該パワーライン
を前記ノイズフィルタの入力側に接続し、
前記通信基板を、前記周端の外側の空間内でありかつ前記パワーラインの上方の前記板
状の部材の位置以上の高さの位置に配置することを特徴とする電気機器。
【請求項２】
前記通信基板と前記制御回路基板とを信号線で着脱自在に接続することを特徴とする請
求項１に記載の電気機器。
【請求項３】
前記筺体の一方の側に開閉自在に表面パネルを設け、
前記通信基板を、前記筺体の前記表面パネル側に配置することを特徴とする請求項１又
は請求項２に記載の電気機器。
【請求項４】
前記パワーラインに介在し、前記パワーラインを開閉する直流開閉器と、
前記通信基板により前記直流開閉器の前記表面パネル側に配置することを特徴とする請
求項３に記載の電気機器。
【請求項５】
前記交流電力が流れるサブ基板を備え、
前記サブ基板を、前記直流開閉器を挟んで前記通信基板と相対向するように配置するこ
とを特徴とする請求項４に記載の電気機器。
【請求項６】
前記通信基板を収容する絶縁性のケースを備えることを特徴とする請求項４又は請求項
５に記載の電気機器。
【発明の詳細な説明】
【技術分野】
【０００１】
本発明は、直流電力を交流電力に変換する電気機器に関する。
【０００２】
近年、太陽電池、燃料電池、あるいは蓄電池などの直流電源の出力する電力を直流用パ
ワーラインから入力し、入力電力を所望の交流電力（例えば、商用電力系統と同じ周波数
の交流電力）に変換して交流用パワーラインに電力を供給するものが提供されている。
【０００３】
特許文献１には、複数の直流電源に対して夫々直流電力を交流電力に変換する電力変換
装置を接続して、これら電力変換装置の出力側を夫々接続することで複数の電力変換装置
を並列に動作し、負荷に電力を供給する電力変換システムが記載されている。このような
電力変換システムに利用される電力変換装置は、通信機能を有しており、マスターコント
ローラと通信を行ってマスターコントローラの指令に従い動作を行う。また、この通信に
より、マスターコントラローラで電力変換装置の動作状態を確認することもできる。
【先行技術文献】
【特許文献】
【０００４】
【特許文献１】特開２００６−３２０１４９号公報
【発明の概要】
【発明が解決しようとする課題】
【０００５】
しかしながら、このような通信機能が設けられる通信基板は、例えば、有線ＬＡＮや無
線ＬＡＮを利用すると１ＭＨｚ〜５ＧＨｚ程度の周波数の信号が入出力され、このような
信号はパワーラインにノイズとして重畳されることになる。ノイズが重畳された状態で、
直流電力から交流電力への電力変換が行われると電力変換装置がノイズの影響を受けて動
作不良をおこす可能性がある。
【０００６】
本発明は、上述の課題を鑑みて成されたものであり、通信基板が発するノイズの影響を
受け難い電力変換装置を提供することを目的とする。
【課題を解決するための手段】
【０００７】
上記目的を達成するため、本発明の電気機器は、直流電力を交流電力に変換する電気機
器において、前記電気機器の筐体内にノイズフィルタを実装するメイン基板と、前記変換
の制御を行う制御回路基板と、前記メイン基板と相対向して配置される金属製の板条の部
材と、外部装置と通信するための通信基板と、を備え、前記メイン基板、前記制御回路基
板、前記板状の部材、及び前記通信基板の接地電位を前記筺体の電位にすると共に、前記
メイン基板の投影空間を通らない前記メイン基板の周端の外側の空間に前記直流電力が流
れるパワーラインを引き回したのち当該パワーラインを前記ノイズフィルタの入力側に接
続し、前記通信基板を、前記周端の外側の空間内でありかつ前記パワーラインの上方の前
記板状の部材の位置以上の高さの位置に配置することを特徴とする。
【発明の効果】
【０００８】
本発明によれば、通信基板が発するノイズの影響を受け難い電気機器を提供することが
できる。
【図面の簡単な説明】
【０００９】
【図１】実施形態の電力変換装置の表面パネルを外した外観斜視図である。
【図２】実施形態の電力変換装置の分解斜視図である。
【図３】実施形態の電力変換装置の回路構成図である。
【図４】筺体に回路基板取り付け用シャーシを取り付けた際の平面図である。
【図５】実施形態の電力変換装置の回路図である。
【図６】ケース及び直流変換器の取りつけ状態を示す斜視図である。
【図７】電力変換装置の周辺機器との接続関係を示す図である。
【図８】支持部材の斜視図である。
【図９】図４のＡ−Ａの断面図である。
【発明を実施するための形態】
【００１０】
以下に本発明を実施するための形態を、図面を用いて詳細に説明する。ただし、以下に
示す各実施形態は、本発明の技術思想を理解するために電気機器として電力変換装置を例
示するものであって、本発明をこの電力変換装置に特定することを意図するものではなく
、本発明は特許請求の範囲に示した技術思想を逸脱することなく種々の変更を行ったもの
にも均しく適用し得るものである。
【００１１】
実施形態の電力変換装置（電気機器）の構成を図１及び図２を用いて説明する。実施形
態の電力変換装置１は、表面パネル２、背面パネル３、上面パネル４、下面主パネル５、
下面補助パネル６、右側面パネル７及び左側面パネル８からなる筺体によって周囲を覆わ
れた略直方体形状を有している。なお、この電力変換装置１は、表面パネル２側が前面（
一方の側）となるように、背面パネル３が壁面（図示省略）に取り付けられている。ただ
し、図１及び図２においては、作図の都合上、表面パネル２が上方向となるように図示し
てある。
【００１２】
筺体は、上面パネル４、下面主パネル５、下面補助パネル６、右側面パネル７及び左側
面パネル８が構成する枠体に、同じく鉄板等の金属で形成されている背面パネル３を枠体
の一方の端面にネジ止めや溶接等により取り付け、他方の端面に表面パネル２を取り付け
取り外しが可能なようにネジ止めにより取り付けている。
【００１３】
表面パネル２は、金属製又はプラスチック製である。また、表示部９が露出するような
露出孔１０が設けられている。表面パネル２は、筺体を開閉できる構成であれば良く、例
えば、表面パネル２を開き戸や引き戸の様に筺体２に取り付けて筺体２から取り外しがで
きないような構成であっても良い。
【００１４】
下面主パネル５には通気孔５ａ及び通気スリット５ｂが形成されており、夫々上面パネ
ル４の通気孔４ａ及び通気スリット（図示省略）に対して冷却空気の流れを作っている。
両通気スリット間には、背面パネル３にネジ止めにより固定されたヒートシンク２１が配
置され、このヒートシンク２１のフィン２１ａの間を通気スリット５ａから入った空気が
上面パネル４の通気スリットへ向かって流れるようになっている。また、下面補助パネル
６は、下面主パネル５とは独立して、単独で取り外し可能に下面主パネル５及び右側面パ
ネル７に取り付けられている。なお、右側面パネル７には、直流開閉器６０のスイッチ６
１が露出するスイッチ孔７ａやＡＣコンセント７ｂ等が設けられている。
【００１５】
筺体には、メイン基板２０、サブ基板２６、通信基板７２を有する通信モジュール７０
、制御回路基板１４及び検出回路基板１５など複数の基板が収容される。
【００１６】
メイン基板２０は、直流電力を交流電力に変換するための基板であり、直流用リアクト
ルＤＣＬ、交流用リアクトルＡＣＬ、スイッチ素子モジュール２４等と接続されて、昇圧
回路３６やインバータ回路３７を構成する。尚、昇圧回路３６やインバータ回路３７につ
いては後述する。
【００１７】
図２、図３に示すように、メイン基板２０は、ヒートシンク２１上にサポート２３（ス
ペーサ）を介して所定間隔で取り付けられている。
【００１８】
スイッチ素子モジュール２４は、スイッチ素子固定用ホルダ２５に複数のスイッチ素子
を内蔵して成る。スイッチ素子固定用ホルダ２５を孔２０ｃを介してヒートシンク２１上
に固定することにより、スイッチ素子のヒートシンク２１への放熱を可能にしている。  
【００１９】
また、メイン基板２０の左側面パネル８側には、直流用リアクトルＤＣＬと、交流用リ
アクトルＡＣＬとが並んで配置されている。さらに、メイン基板２０の右側面パネル７側
にはサブ基板２６が配置されており、このサブ基板２６にはメイン基板２０からの交流出
力と系統との間の電気的接続及び遮断を行う連系リレーＲＬＹが複数個、ここでは４個設
けられている。このサブ基板２６も、サポート（図示省略）によって、背面パネル３に取
り付けられている。
【００２０】
これらの連系リレーＲＬＹ１〜ＲＬＹ４は、電力変換装置１の異常時ないし系統異常時
にインバータ装置を系統から切り離したり、復旧時に感電等が生じたりしないようにする
ために設けられるものである。これらの連系リレーＲＬＹ１〜ＲＬＹ４は、励磁電流が大
きいために発熱が大きいが、メイン基板２０とは別のサブ基板２６に連系リレーＲＬＹ１
〜ＲＬＹ４が配置されているので、熱に弱い平滑コンデンサＣＯＮやスイッチ素子２４が
連系リレーＲＬＹ１〜ＲＬＹ４の発熱の影響を受け難くなり、信頼性の高い電力変換装置
１が得られる。
【００２１】
検出回路基板１５は、電力変換装置１に入力、或いは出力される電流及び電圧、メイン
基板２０内の所定箇所の電圧及び電流など、適宜電流センサや電圧センサにより検出され
る電流電圧を入力して制御回路基板１４へ伝える。制御回路基板１４は、検出回路基板１
５により検出された電流及び電圧を用いてメイン基板２０やサブ基板２６の動作の制御を
行う。
【００２２】
制御回路基板１４及び検出回路基板１５は、段差状に形成された金属製の回路基板取り
付け用シャーシ１６（板状の部材）上に配置されている。図１、図２、図４に示すように
、回路基板取り付け用シャーシ１６は、上面パネル４側及び下面主パネル５側がそれぞれ
上面パネル４及び下面主パネル５にネジ止めされている。また、このネジ止めにより、回
路基板取り付け用シャーシ１６は、接地電位が筐体の電位になされている。回路基板取り
付け用シャーシ１６を段差状に形成しているのは、メイン基板２０のコンデンサ部分と他
の部材との高さの相違に合わせて折り曲げることにより、電力変換装置１の内部空間を有
効利用するためである。
【００２３】
また、図１〜図３に示すように、筺体の下面補助パネル６側には、直流入力端子１７ａ
、１７ｂ及び交流出力端子１７ｃ、１７ｅを有する端子台１７が配置されている。端子台
１７は、背面パネル３に取り付けられた端子台保持板１８と右側面パネル７との間に固定
されている。この端子台１７には、背面パネル３に形成された切り欠き３ａを通して電力
変換装置１の内部に導入されるＤＣ入力配線３４やＡＣ出力配線３５が接続されるように
なっている。尚、ＤＣ入力配線３４やＡＣ出力配線３５は、下面補助パネル６に開口を設
けてこの開口を通して端子台１７に接続するようにしても良い。
【００２４】
実施形態の電力変換装置１における回路構成について図３、図５を用いて説明する。電
力変換装置１は、太陽電池モジュール３０から供給される直流電力を昇圧する昇圧回路３
６、及び昇圧回路３６が昇圧した直流電力を交流電力に変換するインバータ回路３７を備
える。これらの昇圧回路３６、及びインバータ回路３７は主にメイン基板２０上に設けら
れる。
【００２５】
スイッチ素子モジュール２４は、それぞれトランジスタ及び還流ダイオードの並列回路
を直列接続した第１〜第３のアーム回路を３つ並列に接続したものであり、第１のノイズ
フィルタＣＭＦ１側のアーム回路の負極側のトランジスタと直流用リアクトルＤＣＬと平
滑コンデンサＣＯＮを用いてＤＣ／ＤＣコンバータ３６を構成し、残りの２つのアーム回
路を用いてインバータ回路３７を構成している。
【００２６】
直流用リアクトルＤＣＬの入力側は第１のノイズフィルタＣＭＦ１を介して太陽電池モ
ジュール３０の正極に接続され、出力側はアーム回路の入力側Ａ点（アーム回路の２つの
スイッチ素子の接続点）に接続される。また、アーム回路の両端Ｂ点、Ｃ点を平滑コンデ
ンサＣＯＮに並列に接続すると共に、このＢ点Ｃ点をインバータ回路３７の入力側（直流
側）に接続する。また、インバータ回路３７の出力点Ｄ点及びＥ点（交流側）はそれぞれ
交流用リアクトルＡＣＬに接続されている。
【００２７】
直流用リアクトルＤＣＬ及び交流用リアクトルＡＣＬは、周波数５０Ｈｚないし６０Ｈ
ｚの低周波数交流に対するリアクタンスが大きいものが要求されるため、サイズが大きく
、重くなる。本実施形態のような家庭用の電力変換装置１（出力が４Ｋｗ〜６Ｋｗ程度）
の場合でも、それぞれ２〜３ｋｇ程度の重量を有している。同様に平滑コンデンサＣＯＮ
も大容量が必要である。
【００２８】
また、メイン基板２０には、太陽電池モジュール３０の直流電力が供給される直流導体
パターン３１、３２と、この直流導体パターン３１、３２に供給される直流電力のノイズ
を減衰する第１のノイズフィルタＣＭＦ１とが設けられている。リード線１９ａ、１９ｂ
（パワーライン）は、端子台１７からメイン基板２０の投影空間を通らずこのメイン基板
の周端の外側の空間（ここでは、メイン基板２０の右側面パネル７側の空間）を引き回し
てメイン基板２０の第１のノイズフィルタＣＭＦ１の入力側（入力端子２０ａ、２０ｂ）
に接続される。
【００２９】
また、メイン基板２０には、インバータ回路３７の出力する交流電力が供給される交流
導体パターン３８、３９と、この交流導体パターン３８、３９に供給される交流電力のノ
イズを減衰する第２のノイズフィルタＣＭＦ２とが設けられている。そして、第２のノイ
ズフィルタＣＭＦ２の出力側とサブ基板２６とがリード線４２ａ４２ｂにより接続されて
いる。
【００３０】
この様にすることで、太陽電池モジュール３０からの直流電力は、ＤＣ入力配線３４を
介して端子台１７の直流入力端子１７ａ、１７ｂに入力される。また、直流入力端子１７
ａ、１７ｂに入力された直流電力は、リード線１９ａ、１９ｂ及びこのリード線１９ａ、
１９ｂに介在する直流開閉器６０を経てメイン基板２０の入力端子２０ａ、２０ｂに入力
される。
【００３１】
メイン基板２０に入力された直流電力は、第１のノイズフィルタＣＭＦ１を介して昇圧
回路３６に入力され電圧が昇圧される。昇圧された直流電力はインバータ回路３７により
直流電力から商用電力系統８０と同じ周波数を有して同期する交流電力に変換され、第２
のノイズフィルタＣＭＦ２を介してサブ基板２６へ出力される。サブ基板２６は、メイン
基板２０から出力された交流電力をリレーＲＬＹ１〜ＲＬＹ４を介して端子台１７の交流
出力端子１７ｃ〜１７ｅへ出力する。交流出力端子１７ｃ〜１７ｅに出力された交流電力
はＡＣ出力配線３５を通って商用電力系統８０へ重畳されて商用電力系統８０に接続され
る負荷へ供給される。
【００３２】
なお、これらの昇圧回路３６、インバータ回路３７、及び連系リレーＲＬＹは、制御回
路ｃｔｒｌからの信号によって制御されているが、これらの具体的な制御方式は汎用の方
法を用いることが可能であるため、その詳細な説明は省略する。制御回路ｃｔｒｌは、制
御回路基板１４、検出回路基板１５、及び通信基板７２からなり、これらの基板は、電力
変換装置の動作を制御するための制御基板と言える。尚、通信基板７２を有する通信モジ
ュール７０については後述する。
【００３３】
直流開閉器６０は、電力変換装置１のメンテナンスを行う際等に、太陽電池モジュール
３０との接続を断つために用いられるものであり、直方体形状の開閉器筐体６０ａの中に
電流の流れる回路やこの回路を遮断する接片が収納されたものである。図６（ａ）に示す
ように、開閉器筺体６０ａの一面には、太陽電池モジュール３０の出力する直流電力を入
力する入力端子６２、及び入力端子６２に入力された直流電力を接片を介して出力する出
力端子６３を有している。そして、開閉器筺体６０ａの一面の裏面にはスイッチ６１が設
けられ（図２参照）、このスイッチ６１を手動で動かすことにより、接片が開閉しリード
線１９ａ、１９ｂにより構成されるパワーラインの短絡／開放を行う。図３では、直流開
閉器６０の下側に配置されているサブ基板２６について、この直流開閉器６０と重なって
いる領域を破線で示している。
【００３４】
直流開閉器６０は、サブ基板２６の上方（表面パネル２側）に、サブ基板２６との間に
一定の隙間を設けて相対向するように右側面パネル７に取り付けられている。
【００３５】
次に、通信モジュール７０について述べる。図１、図４、図７に示すように、通信基板
７２は、表示ユニット３００や他の電力変換装置１ａの通信モジュール等他の機器と通信
線ＳＬにより接続されている。通信線ＳＬにはコネクタＣＮ２が介在しており、通信モジ
ュール７０側のコネクタＣＮ２は端子台１７の表面パネル側（端子台の端子側）に着脱自
在に支持され、他の機器側のコネクタＣＮ２が通信モジュール７０側のコネクタＣＮ２に
嵌め合わされる。信号線ＳＬは切り欠き３ａからＤＣ入力配線３４、及びＡＣ出力配線３
５と共に引き回されて他の機器へ接続される。
【００３６】
また、通信基板７２と制御回路基板１４とは信号線７３で着脱自在に接続されている。
具体的には、信号線７３にはコネクタＣＮ２が介在しており、制御回路基板１４側のコネ
クタＣＮ２は制御回路基板１４に実装され、通信基板７２側のコネクタＣＮ１が制御回路
基板１４側のコネクタＣＮ１に嵌め合わされることにより着脱自在に接続される。これに
より、電力変換装置１（制御回路基板１４）は通信基板７２を利用して表示ユニット３０
０や他の電力変換装置１ａと通信を行いながら動作することができる。
【００３７】
通信モジュール７０は、図１、図６（ｂ）、図８に示すように、プラスチックなどの樹
脂で作られた絶縁性のケース７１の内部に通信基板７２を収容している。ケース７１は、
内部が空洞の直方体形状をなしており、内部に収容する通信基板７２が図示していない固
定手段によって固定されている（或いは、固定されていなくとも良い）。通信基板７２は
、表示ユニット３００（図５参照）や、電力変換装置１ａとの間で通信を行うための回路
や部品が実装されたものである。この通信基板７２の通信は、有線方式であっても無線方
式であってもかまわないが、本実施形態においては有線方式により通信を行う。
【００３８】
表示ユニット３００は、固定或いは持ち運び可能な表示装置であり、液晶モニタや操作
部で構成されている。また、表示ユニット３００には通信手段が設けられており、通信手
段は電力変換装置１と有線方式で、それ以外（ルータ４００や検出器５００）とは無線方
式で通信を行う。尚、この通信手段は、無線方式であっても有線方式であっても構わない
。
【００３９】
表示ユニット３００は、電力変換装置１、１ａが備え付けられる需要家の電力状況を、
通信手段を使って収集し電力状況を液晶モニタに表示することができる。これにより、使
用者は、電力変換装置１、１ａから離れた場所で需要家の電力状況を確認することができ
る。具体的に、表示ユニット３００は、電力変換装置１、１ａから出力される電力、需要
家内の負荷７００の消費電力、及び商用電力系統８０へ潮流又は逆潮流する電力を検出す
る検出器５００とルータ４００を介して通信しこれらの電力を表示する。また、表示ユニ
ットの記憶部にこれらのデータが蓄積されることで、月毎の発電量や使用量等を知ること
ができる。検出器５００は、これら３つの電力のうち２つの電力（ここでは、電力変換装
置１、１ａから出力される電力と商用電力系統８０へ潮流又は逆潮流する電力）を、電流
センサＣＴを利用して検出する。また、表示ユニット３００は、ルータ４００を介してイ
ンターネット８００から電力の使用料金をダウンロードして、３つの電力量を使用料金に
変換して表示することもできる。また、表示ユニット３００は、電力変換装置１、１ａか
ら、正常運転中、電力抑制中、或いは停止中などの運転状態の情報を収集し表示する。
【００４０】
本実施形態では、電力変換装置１と表示ユニット３００及び他の電力変換装置１ａとを
通信して利用するものを例に挙げたが、電力変換装置１は、通信せずに単体で運転するこ
ともできる。このような場合、通信モジュール７０は不要になるが、本実施形態では、通
信モジュール７０をコネクタＣＮ１、ＣＮ２により電力変換装置１に着脱自在に設けてい
る。このため、電力変換装置１を単体で運転する場合に、通信モジュール７０を取り外し
て運転することができ、通信モジュール７０で利用する電力（数Ｗ程度）が節約できる。
【００４１】
次に通信モジュール７０の筺体への配置について述べる。図１、図４、図６に示すよう
に、通信モジュール７０は、右側面パネル７に設けられている支持部材７ｃによりケース
７１が支持され、直流開閉器６０を表面パネル２側から覆うように配置されている。図８
（ａ）に示すように、支持部材７ｃは、ケース７１の表側（表面パネル２側）を支持する
表面支持部８５と、ケース７１の下面側（下面補助パネル６側）を支持する下面支持部８
２と、これらの支持部を右側面パネル７に取り付けるための取付部８３から成る。表面支
持部８５、下面支持部８２、及び取付部８３は、一枚の板状の部材を折り曲げ加工したも
のを用い、取付部８３に設けられる貫通孔８４にネジを通して右側面パネル７にネジ止め
される。
【００４２】
また、支持部材７ｃは、図８（ｂ）に示すように、表面支持部８５ａ、下面支持部８２
ａ、及び取付部８３ａに加えて、ケース７１の裏面側（背面パネル２側）を支持する裏面
支持部８１ａを有するようにしても良い。また、支持部材７ｃは、図８（ｃ）に示すよう
に、裏面支持部８１ｂ、下面支持部８２ｂ、及び取付部８３ｂを有するようにしても良い
し、図８（ｄ）に示すように、下面支持部８２ｃ及び取付部８３ｃを有するようにしても
良い。
【００４３】
図１、図４、図６に示すように、筺体の側面を形成する右側面パネル７、及び上面パネ
ル４の表面パネル２側は、内側に９０度に折り曲げられて縁部８６を成し、右側面パネル
７の縁部８６に支持部材７ｃが取り付けられている。そして、ケース７１は、縁部８６よ
りも筺体の内側に入れ込まれて、支持部材７ｃと縁部８６により筺体の隅に支持されてい
る。これにより、通信基板７２はメイン基板２０と略平行になるように配置されることに
なる。このように通信モジュール７０のケースを配置することにより、図９（ａ）に示す
ように、通信モジュール７０は、メイン基板２０の投影空間を通らないメイン基板２０の
周端の外側の空間内(ここでは、メイン基板２０の右側面パネル７側の空間)でありかつリ
ード線１９ａ、１９ｂの上方（表面パネル２側）の回路基板取り付け用シャーシ１６の位
置以上の高さの位置（図９の一点差線Ｖよりも表面パネル側）に配置される。
【００４４】
以上のように通信ユニット７０が配置されるが、通信基板７２は、通信規格により所定
の周波数の通信信号を生成する（例えば、有線ＬＡＮであれば１ＭＨｚ〜２５０ＭＨｚ程
度、無線ＬＡＮであれば数ＧＨｚ程度）ものである。この通信信号は、メイン基板を流れ
る直流電力や交流電力にとってノイズとなり、このノイズは、通信基板７２を中心に放射
状に発せられる。本実施形態では、メイン基板２０の上方に相対向するように回路基板取
り付け用シャーシ１６を配置し、通信基板７２を回路基板取り付け用シャーシ１６の位置
以上の高さの位置に配置している。これにより通信基盤７２から放射状に発せられるノイ
ズは回路基板取り付け用シャーシ１６が壁になって吸収され、メイン基板回路まで伝わり
難くなる。
【００４５】
また、通信基板の下方に位置するリード線１９ａ、１９ｂを流れる直流電力にはノイズ
が重畳されることになるが、この直流電力はリード線１９ａ、１９ｂを通った後メイン基
板２０の第１のノイズフィルタＣＭＦ１を介してメイン基板２０に入力されるため、重畳
されたノイズが減衰され、通信基板７２が発するノイズの影響を受け難い電力変換装置１
を提供することができる。
【００４６】
また、本実施形態では、通信モジュール７０を表面パネル２側に配置している。これに
より、通信モジュール７０の取り付け取り外し作業を容易に行うことができる。
【００４７】
また、本実施形態の電力変換装置１は、通信基板７２をケース７１に収容して直流開閉
器６０を表面パネル２側から覆うように配置しているので、ケース７１が通信基板７２の
配置スペースと直流開閉器６０を覆い、筺体の開口部側から直流開閉器６０を隠している
。これにより、新たに別部材を直流開閉器６０の表面パネル２側に配置して直流開閉器６
０を覆い隠す必要がなく、通信基板７２を配置するスペースを確保して電力変換装置１の
小型化に寄与すると共に、メンテナンス時の直流開閉器６０のショートを抑制することが
できる。通信モジュール７０を用いない場合には、通信基板７２を収容していないケース
７１のみを用いたり、ケース７１と同様の形状のものを用いたりしても構わない。
【００４８】
また、本実施形態では、直流開閉器６０を、サブ基板２６の表面パネル２側に設け、通
信モジュール７０を、直流開閉器６０を表面パネル２側から覆うように設けている。これ
により、サブ基板２６は、直流開閉器６０を挟んで通信基板７２と相対向するように配置
されことになる。このようにすると、通信モジュール７０から発せられるノイズが直流開
閉器６０により遮蔽され、サブ基板２６から出力される交流電力にノイズが重畳され難く
なる。
【００４９】
また、図４や図９に示しているように、直流開閉器６０の上方に配置される通信モジュ
ール７０の面積は、直流開閉器６０の面積よりも広くなっているが、ノイズを直流開閉器
６０により遮蔽するためには、通信モジュール７０の面積を直流開閉器６０の面積よりも
小さくすると良い。
【００５０】
また、本実施形態において、図８（ａ）、図８（ｂ）のように裏面支持部８１ａ、８１
ｂを有する支持部材７ｃを用いること、直流開閉器６０とケース７１との間の隙間を一定
間隔に維持するのに良い。
【００５１】
また、本実施形態では、直流開閉器６０とケース７１との間に隙間を設けずにケース７
１を配置し、ケース７１を縁部８６よりも筺体の内側に入れ込んで直流開閉器６０、支持
部材７ｃ、及び縁部８６により支持している。このような場合、支持部材７ｃとして、図
７（ａ）や図７（ｄ）のように前面支持部が無いものを利用することにより、直接直流開
閉器６０でケース７１を支持するため、支持部材７ｃを小さくすることができる。
【００５２】
本実施形態では、図９（ａ）に示すように、ケース７１を直流開閉器６０で支持するよ
うに配置したが、ケース、図９（ｂ）に示すように、ケース７１を、ケース７１と直流開
閉器６０との間に隙間を設けて相対向するように配置しても良い。
【００５３】
この様にすることで、背面パネル３に固定されているサブ基板２６の上方に隙間をあけ
て直流開閉器６０を固定し、更に直流開閉器６０の上方に隙間をあけてケース７１を配置
することになる。直流開閉器６０やサブ基板２６には、数十アンペアの電流が流れるため
、非常に高温の熱が発生するが、サブ基板２６と直流開閉器６０によって加熱された空気
が夫々の隙間で対流することになる。このため、サブ基板２０と直流開閉器６０とから生
じた熱をこの対流による自然換気によって、上面パネル４の通気孔４ａ等を介して効率的
に外部へ排出することができる。
【００５４】
サブ基板２６と直流開閉器６０と隙間、及び直流開閉器６０とケース７１との隙間は、
煙突効果による空気の流れを生じさせられるような隙間に調節されていると、効率的な換
気が行える。
【００５５】
また、図４や図９（ｂ）に示しているように、直流開閉器６０の上方に配置される通信
モジュール７０の面積は、直流開閉器６０の面積よりも広い方が、自然対流を発生させる
上で好ましい。
【符号の説明】
【００５６】
１…電力変換装置  ２…表面パネル  ３…背面パネル  ３ａ…切り欠き  ４…上面パネ
ル  ５…下面主パネル  ６…下面補助パネル  ７…右側面パネル  ７ｃ…支持部材  ８…
左側面パネル  １４…制御回路基板  １５…検出回路基板  １６…回路基板取り付け用シ
ャーシ（板部材）  １７…端子台  １７ａ、１７ｂ…直流入力端子  １７ｃ、１７ｄ…交
流出力端子  １８…端子台保持板  １９ａ、１９ｂ…リード線（パワーライン）  ２０…
メイン基板  ２６…サブ基板  ３０…太陽電池モジュール  ６０…直流開閉器  ６１…ス
イッチ  ７０…通信モジュール  ７１…ケース  ７２…通信基板  ７３…信号線  ＣＭＦ
１…第１のノイズフィルタ  ＣＭＦ２…第２のノイズフィルタ
【図１】
2014090604.tif 000003
【図２】
2014090604.tif 000004
【図３】
2014090604.tif 000005
【図４】
2014090604.tif 000006
【図５】
2014090604.tif 000007
【図６】
2014090604.tif 000008
【図７】
2014090604.tif 000009
【図８】
2014090604.tif 000010
【図９】
2014090604.tif 000011